(57)【特許請求の範囲】
【請求項１】
開閉器キャビネット（１）のための安全ドアロック装置であって、
開閉器キャビネット（１）の内部のグラウンドスイッチを操作するためのスイッチハンドル（８）が機械連結装置（９、１０、１１、１２、４、５）を介して前記グラウンドスイッチに作動可能に結合され、
前記スイッチハンドル（８）が、前記開閉器キャビネット（１）の外側で前記キャビネットドア（２）上に配置され、前記グラウンドスイッチの位置を表示し、
前記機械連結装置は、前記スイッチハンドル（８）に連結された回転可能な制御ディスク（９）と、前記開閉器キャビネット（１）内で前記グラウンドスイッチに恒久的に連結され、前記制御ディスク（９）に作動可能に機械的に連結されたロックロッド（４）と、を有し、前記ロックロッドは、切欠きを有し、
ロックリンク（１５）が、キャビネットドア（２）のドアハンドル（３）に連結され、ロックレバー（６）が、前記ロックリンク（１５）に操作可能に連結され、
前記グラウンドスイッチがグランドにセットアップされるとき、前記ロックロッド（４）は、前記ロックレバー（６）が前記ロックロッド（４）の切欠きに係合できるように、前記スイッチハンドル（８）によって前記開閉器キャビネット（１）に対して前記ロックロッド（４）の長手方向に変位し、前記ロックリンク（１５）及び前記ロックレバー（６）は、ドアハンドル（３）により前記キャビネットドア（２）をロックする位置と前記キャビネットドア（２）を開けるように操作できる位置との間を変位可能であり、
前記グラウンドスイッチがグランドにセットアップされ、前記ロックリンク（１５）及び前記ロックレバー（６）が前記ドアハンドル（３）により前記開くことができる位置にあるとき、前記ロックレバー（６）が前記ロックロッド（４）の切欠きに係合し、前記ロックロッド（４）は、前記グラウンドスイッチをグランドされない動作状態に変位不可能であることを特徴とする安全ドアロック装置。
【請求項２】
前記制御ディスク（９）及び前記ロックロッド（４）は、コネクティングロッド（１０）及び前記ロックロッド（４）のガイドピン（１２ａ、ｂ）の間に保持されたコネクティングアングル（１１）を介して機械的に作動可能に連結される、請求項１に記載の安全ドアロック装置。
【発明の詳細な説明】
【０００１】
【発明の属する技術分野】
本発明は電気開閉器キャビネットのための安全技術に関する。本発明は特許請求の範囲の請求項１のプリアンブルによる安全ドアロック装置から由来する。
前記タイプの安全ドアロック装置は、例えば、出版物"Aktuelle Technik"のNo.5/96, page 397 from B + L Verlags AG.  の通知書"Miniatur Sicherheitstuerschalter"("miniature safety door switches")で知られている。
【０００２】
【従来の技術】
電気設備の開閉器キャビネットの安全ドアロック装置は、従来技術により知られているように、動作の安全の目的に役立ち、電気設備を操作及び手入れするスタッフを保護する。安全ガードドアロックの最も簡単なタイプの例は、開閉器キャビネットドアを特殊工具によってのみ操作することができる多数のスクリュータイプの装置の手段によってロックすることである。そのようなスクリュー装置の決定的な不都合は、それらは専門スタッフにより適当な機器で開けることができるが後払いの多額の支出を伴なうだけで、これは例えば開閉器キャビネットの内部の故障の場合には非常にわずらわしい。加えて、簡単なスクリュー装置は開閉器キャビネットの内部の動作状態と結合することができず、この結果、責任あるスペシャリストのスタッフがキャビネットのドアを開く前に安全ガードされた電気スイッチ状態をセットアップすることが必要である。
【０００３】
【発明が解決しようとする課題】
操作がはるかに簡単なロックデバイスは、"Kirk Key"ロック装置との名称で知られている。そのような装置は機械ロックユニット内に関連するキーのための異なるコードを備えた、少なくとも２つの互いに結合されるロックシリンダを備える。これは、例えば、開閉器キャビネットが開かれる前にグラウンドスイッチの位置をセットアップするために第１のキーを用いなければならないことを要求し、ここでロックユニットの第２のキーは自由に操作可能になり、前記第２のキーがキャビネットドアを開けるのに使用される。もしも多数の開閉器キャビネットがこのやり方で列をなして次々に機械的にロックされた場合には、列の最後のキャビネットを開くのはまたそれ相応に時間を消費する。
【０００４】
複合された電気機械的なロックの例は、出版物"Aktuelle Technik"のNo.5/96, page 397 from B + L Verlags AG.  の通知書"Miniatur Sicherheitstuerschalter"("miniature safety door switches")の従来技術によって示される。そのような異なるロック装置は開閉器キャビネット内に取付けられキャビネットドアに固定されたコードキーと協働するドアスイッチから概略構成される。この装置ではドアスイッチは電気的に制御され、キーは制御装置の機能としてドアスイッチ内に機械的に固定され又は解放される。従って簡単な方法で制御されたやり方で、開閉器キャビネットの内側のスイッチの要求された位置の論理機能として、多数の開閉器キャビネットを並列にロック又はアンロックすることが可能である。確かに、広いが依然制限された動作温度の範囲はそのようなロック装置の欠点である。加えて、前記装置はドアスイッチのための供給電気ネットワークの動作の安全性に直接依存し、さらに、結合された制御装置の動作の安全性に依存する。加えて、このタイプの据付けはそれに応じてコスト及びメンテナンスの点から過激である。
【０００５】
【課題を解決するための手段】
従って、本発明の１の目的は、コスト及び設備に関して比較的に低減された支出でセットアップでき、加えて、自由に選択可能な気候環境条件のもとで電気の供給及び／又は制御とは無関係に最適な電気安全を確保しつつ動作できる新規な安全ドアロック装置を提供することである。
この目的は第１のクレームの特徴部分の手段によって本発明により達成される。
本発明の利点は、とりわけ、開閉器キャビネット内に据付けられたスイッチの位置がキャビネットドアのロックリンクに機械連結要素の手段によって操作上結合されていることである。従ってキャビネットドアのロックは論理的にスイッチの位置と間接的に組み合わされる。
【０００６】
本発明の特に好ましい実施形態では、スイッチの位置に直接結合された回転可能に取付けられた制御ディスクを提供し、スイッチングの位置に従って、開閉器キャビネットドアをロック又はアンロックする目的のために間接的にロックロッドを変位させる。スイッチが動作したときに加えられる回転動作は、制御ディスクに取付けられたコネクティングロッド及びコネクティングアングルの手段によって、ロックロッドの水平変位方向に変換される。ロックロッドはさらに、ロックレバーを介してキャビネットドアのロックリンクに結合され、最も大きな可能な操作上の安全性に関してロックリンクの位置とＡＮＤで組合わせて、スイッチの所望の状態だけが可能である。
本発明の更なる実施形態はサブクレームによりカバーされる。
【０００７】
本発明のより完全な理解と多くの付随する利点は、添付図面を考慮して以下の詳細な説明を参照することにより、容易に得られる。
【０００８】
【発明の実施の形態】
図面を参照すると、複数の図面を通して同一の参照符号は同一又は対応する部品を示しており、図１では、符号１は電気設備のための開閉器キャビネットを示しており、例えば開閉器キャビネット１ａは低電圧設備として設けられ、すなわち特別なロックデバイスは必要ではなく、これに対して、開閉器キャビネット１ｂはロックデバイスすなわちロックレバー５を備えた高電圧設備として設けられる。この例の場合には、開閉器キャビネット１ｂ内にはグラウンドスイッチ（図示せず）が配置され、これはキャビネットドア２に配置されたスイッチハンドル８の手段によって開閉器キャビネット１ｂの外側から操作されることができる。示された開閉器キャビネット内の電気機器の全体はこの図示しないグラウンドスイッチの手段によってグラウンドポテンシャルに接続することができ、この結果、開閉器キャビネット１内の電気設備に安全に作業することが可能になる。
【０００９】
高電圧の設備を備えたすべての開閉器キャビネット１ｂは、スイッチハンドル８で示される、共通の機械的に制御され、且つグラウンドスイッチの位置に結合されたロック装置を有する。図１の表示はすべての開閉器キャビネットに共通なロックロッド４と、このロックロッドと操作するように連結された、各開閉器キャビネット１ｂのためのロックレバー５とだけを示す。後でより詳細に説明するように、ロックレバー５は開閉器キャビネットのドアハンドル３に間接的に結合される。
本発明による安全ドアロック装置の機能原理は図２に示される。この際には開閉器キャビネットの表示は明瞭にするために省略した。図１に示されていたスイッチハンドル８は回転可能１４ａに取付けられた制御ディスク９（図２）に連結されている。コネクティングロッド１０が制御ディスク９に対して偏心してディスク９上に配置される。さらに、コネクティングロッド１０はコネクティングアングル１１に連結され、これも同様に回転可能１４ｂに取付けられ、その自由端がロックロッド４の２本のガイドピン１２ａ及び１２ｂの間に配置される。ロックロッド４自体はその全長にわたってガイドベアリング７内にすべての隣接する開閉器キャビネット（図示せず）を通じて保持される。
【００１０】
ロックすべき各開閉器キャビネット１ｂはロックレバー５が割当てられ、このロックレバー５は図３を参照して以下に説明するようにキャビネットドア２のロックリンク１５に操作可能に連結される。
もしも、図２に示すように、すべてのロックレバー５がガイドベアリング１８内における下端位置にあるとき、ロックロッド４はブロックされる。ロックレバー５がロックロッドの切欠６に係合して変位を不可能にしているためにロッドは水平方向１９に動くことができない。
もしも、対照的に、すべてのロックレバーが上端位置にあるとき、すなわち１３の方向に変位しているとき、切欠へのブロックは効果がなくなりロックロッドは水平１９に動くことができる。これはスイッチハンドル８（図１）を用いて制御ディスク９を１４ａの方向に回転させ、コネクティングアングル１１を１４ｂの方向に回転させその結果、第１に、グラウンドスイッチ（図示せず）の位置を選択することが可能になり、加えて、ロックロッド４をロックの目的のために外すことが可能になることを意味する。
【００１１】
キャビネットドア２のロックは図３に示される。図３は開閉器キャビネット１ｂとそのドア２を通る非常に簡略化した断面を示している。キャビネットドア２は上と下とでキャビネット壁１７の部分により拘束されている。もしもキャビネットドア２がロックされているとき、ロックローラ１６は上と下を、ロックリンク１５と共に、キャビネット壁１７の内側にぶつかる。ロックリンク１５に連結されたドアハンドル３はキャビネットドアをロックするために適当な位置に持ってこられる。図３の詳細Ｘはより精密に図４に示される。
図４において、ロックロッド４はロックレバー５と共に断面で示されている。キャビネットドア２がロックされたとき、ロックローラ１６によって保持されているロックレバー５はその上端位置に保持される。もしもロックレバー５がこの位置に配置されているときには、ロックロッド４は自由に図面の右向き（１９）に移動することができ、ロックレバー５はロックロッド４の切欠６と係合していないために、キャビネットドアはロックロッドが移動しているために開くことができない。
【００１２】
もしもロックロッド４の切欠６が、図５に示すように、ロックレバー５が切欠内に係合できるように位置決めされている場合、ロックリンク１５はドアハンドル（図３）によりキャビネットドア２を開けるように操作できる。この場合、グラウンドスイッチ（図示せず）はその後すべての開閉器キャビネット設備の信頼できるグラウンドにセットアップされる。もしも、図４のように、キャビネットドア２がロックされていると、開閉器キャビネット設備はグラウンドされず動作状態におかれる。
本発明による安全ドアロック装置はキャビネットドアの信頼でき簡単なロックを確実にし、またロックローラ１６をキャビネット壁内の上下で働かせることによって要求される３点ロックを考慮に入れ、加えて、ドアハンドルのロックのロックバー（よく知られているため図示せず）を提供する。加えて、丈夫なためにこの純粋に機械的に動作する安全ドアロック装置は気候に関して制限されない使用可能性を示す。
【００１３】
本発明の概念から逸脱することなく、任意のスイッチの機能として示されたタイプのドアロックを与えることもまた考えることができる。さらにこれに関連して任意の数の開閉器キャビネットをひとつのロック装置の手段によって並列に結合することも可能であることを指摘することもでき、加えてそれらを簡単な方法で拡張できる。
明らかに、上記教示の知識から本発明の数多くの修正及び変形が可能である。従って、添付した請求の範囲の範囲内で、ここで特に説明したのとは別な方法で本発明を実施できることを理解すべきである。
【図面の簡単な説明】
【図１】本発明によるロック装置を有する複数の隣合う開閉器キャビネットのキャビネット装置を模式的に示す図である。
【図２】ロック装置の機能的な原理を示している。
【図３】開閉器キャビネットの横断面図を示す。
【図４】図３の詳細Ｘについて、キャビネットドアがアンロックされたときを示す。
【図５】図３の詳細Ｘについて、キャビネットのドアがロックされたときを示す。
【符号の説明】
１ａ、ｂ  開閉器キャビネット
２  キャビネットドア
３  ドアハンドル
４  ロックロッド
５  ロックレバー
６  切欠
７  ４のガイドベアリング
８  スイッチハンドル
９  制御ディスク
１０  コネクティングロッド
１１  コネクティングアングル
１２ａ、ｂ  ガイドピン
１３  ５の移動の方向
１４ａ  ９の回転の方向
１４ｂ  １１の回転の方向
１５  ロックリンク
１６  ロックローラ
１７  キャビネット壁
１８  ５のガイドベアリング
１９  ４の移動の方向
【図１】
0004410864.tif 000002
【図２】
0004410864.tif 000003
【図３】
0004410864.tif 000004
【図４】
0004410864.tif 000005
【図５】
0004410864.tif 000006